(57)【要約】【課題】観察者に強い印象を与えることが可能なスクリーンシステムを提供する。【解決手段】表示面における透明度を調節することが可能なスクリーン１０と、スクリーン１０に画像を表示するために光を投射するプロジェクタ３０と、スクリーン１０の観察側の反対側に、スクリーン１０と空間を隔てて設けられ、スクリーン１０側に対して情報を表示する表示部２０と、スクリーン１０の観察側の近傍領域内に在るＩＣタグ６０を検出するリーダ５０と、リーダ５０の検出結果に応じて、スクリーン１０の表示面の透明度を調整し、プロジェクタ３０によるスクリーン１０への光の投射を制御するＰＣ７０とを備えるスクリーンシステム１。【選択図】図１
2006243068.tif 000002
【特許請求の範囲】
【請求項１】
表示面における透明度を調節することができ、光の投射を受けて画像を表示するスクリーンと、
前記スクリーンの観察側の反対側に、前記スクリーンと空間を隔てて設けられ、前記スクリーン側に対して情報を表示する表示手段と、
前記スクリーンの観察側の近傍領域内に在る携帯型情報記録媒体を検出する検出手段と、
前記検出手段による検出結果に応じて、前記スクリーンの表示面の透明度を調整する透明度調整手段と
を備えるスクリーンシステム。
【請求項２】
請求項１に記載のスクリーンシステムにおいて、
前記スクリーンの表示面の透明度が高く調整されている場合に、観察側から前記スクリーンの表示面を透過して前記表示手段によって表示される情報を、前記スクリーンの観察側から前記スクリーンの表示面を透過して観察可能であること
を特徴とするスクリーンシステム。
【請求項３】
請求項１又は請求項２に記載のスクリーンシステムにおいて、
前記スクリーンに対して光を投射する投射手段と、
前記検出手段による検出結果、及び／又は、前記透明度調整手段による前記スクリーンの表示面の透明度の調整に応じて、前記投射手段による前記スクリーンへの光の投射を制御する投射制御手段とを備えること
を特徴とするスクリーンシステム。
【請求項４】
請求項３に記載のスクリーンシステムにおいて、
前記検出手段によって検出された携帯型情報記録媒体に記録されている情報を読み出す読み出し手段を備え、
前記投射制御手段は、前記読み出し手段によって前記情報記録媒体から読み出した情報に基づいて、前記投射手段によって投射される光に応じて前記スクリーンに表示される画像の選択、及び／又は、前記投射手段による光の投射のタイミングの調整を行うこと
を特徴とするスクリーンシステム。
【請求項５】
請求項１から請求項４までのいずれか１項に記載のスクリーンシステムにおいて、
前記検出手段による検出結果、及び／又は、前記透明度調整手段による前記スクリーンの表示面の透明度の調整に応じて、前記表示手段に表示されている情報に照射される光量を調節する照射調節手段を備えること
を特徴とするスクリーンシステム。
【請求項６】
請求項１から請求項５までのいずれか１項に記載のスクリーンシステムにおいて、
前記検出手段による検出結果、及び／又は、前記透明度調整手段による前記スクリーンの表示面の透明度の調整に応じて、前記表示手段による情報の表示を制御する表示制御手段を備えること
を特徴とするスクリーンシステム。
【請求項７】
請求項６に記載のスクリーンシステムにおいて、
前記表示制御手段は、前記読み出し手段によって前記情報記録媒体から読み出した情報に基づいて、前記表示手段に表示する画像の選択、及び／又は、前記表示手段による表示のタイミングの調整を行うこと
を特徴とするスクリーンシステム。
【請求項８】
請求項１から請求項７までのいずれか１項に記載のスクリーンシステムにおいて、
一の前記スクリーンと、前記表示手段との間に、前記一のスクリーン及び前記表示手段と空間を隔てて他の前記スクリーンを備えること
を特徴とするスクリーンシステム。
【請求項９】
請求項１から請求項８までのいずれか１項に記載のスクリーンシステムにおいて、
前記スクリーンは、閉じられた直方体の一側面に、前記直方体外部側が観察側となるように設けられ、
前記表示部は、前記スクリーンが設けられている一側面と対向する側面の内部側に設けられ、
前記スクリーンの表示面の透明度が高く調整されている場合に、前記直方体外部から前記スクリーンの表示面を透過して前記直方体内部を観察可能であること
を特徴とするスクリーンシステム。
【請求項１０】
請求項１から請求項９までのいずれか１項に記載のスクリーンシステムにおいて、
前記検出手段は、電磁波を送受することによって、近傍領域内に在る携帯型情報記録媒体を検出するためのアンテナを前記スクリーンの近傍又は内部に有すること
を特徴とするスクリーンシステム。
【請求項１１】
請求項１から請求項１０までのいずれか１項に記載のスクリーンシステムにおいて、
前記スクリーンは、板状の透明部材と、この透明部材に貼付された調光フィルムとを含む基材を有し、前記基材に光の投射を受けて画像を表示すること
を特徴とするスクリーンシステム。
【発明の詳細な説明】
【技術分野】
【０００１】
本発明は、スクリーンの表示を制御するスクリーンシステムに関する。
【背景技術】
【０００２】
従来から、ＰＣを操作してプロジェクタからスクリーンに拡大投影される映像を制御し、プレゼンテーションを行っている。
例えば、会議室から事務所のＰＣを操作し、その操作によりＰＣに表示される画像を会議室の投影処理部（プロジェクタ）にて拡大投影することでプレゼンテーションソフトやデータファイルの非互換性やメモリ媒体の運搬中における破損等の問題の回避を可能にするプレゼンテーションシステムがある（特許文献１参照。）。
【特許文献１】特開２００２−６４７２５号
【発明の開示】
【発明が解決しようとする課題】
【０００３】
しかし、プロジェクタからスクリーンに映像を投射し、表示を行うだけでは、意外性に欠け、観察者に強い印象を与えることができないという問題があった。同様に、コンビニエンスストアのレジのディスプレイ、街頭、駅構内のポスター、電飾看板、その他の広告看板などの販売促進用の表示においても、意外性に欠け、販促効果をあまり期待できないという問題があった。
【０００４】
本発明の課題は、観察者に強い印象を与えることが可能なスクリーンシステムを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。すなわち、請求項１の発明は、表示面における透明度を調節することができ、光の投射を受けて画像を表示するスクリーン（１０）と、前記スクリーンの観察側の反対側に、前記スクリーンと空間を隔てて設けられ、前記スクリーン側に対して情報を表示する表示手段（２０）と、前記スクリーンの観察側の近傍領域内に在る携帯型情報記録媒体（６０）を検出する検出手段（５０，７０）と、前記検出手段による検出結果に応じて、前記スクリーンの表示面の透明度を調整する透明度調整手段（７０）とを備えるスクリーンシステム（１）である。
【０００６】
請求項２の発明は、請求項１に記載のスクリーンシステムにおいて、前記スクリーンの表示面の透明度が高く調整されている場合に、観察側から前記スクリーンの表示面を透過して前記表示手段によって表示される情報を、前記スクリーンの観察側から前記スクリーンの表示面を透過して観察可能であることを特徴とするスクリーンシステム（１）である。
【０００７】
請求項３の発明は、請求項１又は請求項２に記載のスクリーンシステムにおいて、前記スクリーンに対して光を投射する投射手段（３０）と、前記検出手段による検出結果、及び／又は、前記透明度調整手段による前記スクリーンの表示面の透明度の調整に応じて、前記投射手段による前記スクリーンへの光の投射を制御する投射制御手段（７０）とを備えることを特徴とするスクリーンシステム（１）である。
【０００８】
請求項４の発明は、請求項３に記載のスクリーンシステムにおいて、前記検出手段によって検出された携帯型情報記録媒体に記録されている情報を読み出す読み出し手段（５０，７０）を備え、前記投射制御手段は、前記読み出し手段によって前記情報記録媒体から読み出した情報に基づいて、前記投射手段によって投射される光に応じて前記スクリーンに表示される画像の選択、及び／又は、前記投射手段による光の投射のタイミングの調整を行うことを特徴とするスクリーンシステム（１）である。
【０００９】
請求項５の発明は、請求項１から請求項４までのいずれか１項に記載のスクリーンシステムにおいて、前記検出手段による検出結果、及び／又は、前記透明度調整手段による前記スクリーンの表示面の透明度の調整に応じて、前記表示手段に表示されている情報に照射される光量を調節する照射調節手段（４０，７０）を備えることを特徴とするスクリーンシステム（１）である。
【００１０】
請求項６の発明は、請求項１から請求項５までのいずれか１項に記載のスクリーンシステムにおいて、前記検出手段による検出結果、及び／又は、前記透明度調整手段による前記スクリーンの表示面の透明度の調整に応じて、前記表示手段による情報の表示を制御する表示制御手段を備えることを特徴とするスクリーンシステムである。
【００１１】
請求項７の発明は、請求項６に記載のスクリーンシステムにおいて、前記表示制御手段は、前記読み出し手段によって前記情報記録媒体から読み出した情報に基づいて、前記表示手段に表示する画像の選択、及び／又は、前記表示手段による表示のタイミングの調整を行うことを特徴とするスクリーンシステムである。
【００１２】
請求項８の発明は、請求項１から請求項７までのいずれか１項に記載のスクリーンシステムにおいて、一の前記スクリーンと、前記表示手段との間に、前記一のスクリーン及び前記表示手段と空間を隔てて他の前記スクリーンを備えることを特徴とするスクリーンシステムである。
【００１３】
請求項９の発明は、請求項１から請求項８までのいずれか１項に記載のスクリーンシステムにおいて、前記スクリーンは、閉じられた直方体（１ａ）の一側面に、前記直方体外部側が観察側となるように設けられ、前記表示部は、前記スクリーンが設けられている一側面と対向する側面の内部側に設けられ、前記スクリーンの表示面の透明度が高く調整されている場合に、前記直方体外部から前記スクリーンの表示面を透過して前記直方体内部を観察可能であることを特徴とするスクリーンシステム（１）である。
【００１４】
請求項１０の発明は、請求項１から請求項９までのいずれか１項に記載のスクリーンシステムにおいて、前記検出手段は、電磁波を送受することによって、近傍領域内に在る携帯型情報記録媒体を検出するためのアンテナを前記スクリーンの近傍又は内部に有することを特徴とするスクリーンシステム（１）である。
【００１５】
請求項１１の発明は、請求項１から請求項１０までのいずれか１項に記載のスクリーンシステムにおいて、前記スクリーンは、板状の透明部材（１６Ａ，１６Ｂ）と、この透明部材に貼付された調光フィルム（１３，１４Ａ，１４Ｂ，１５Ａ，１５Ｂ）とを含む基材（１３，１４Ａ，１４Ｂ，１５Ａ，１５Ｂ，１６Ａ，１６Ｂ）を有し、前記基材に光の投射を受けて画像を表示することを特徴とするスクリーンシステム（１）である。
【発明の効果】
【００１６】
本発明によるスクリーン及びスクリーンシステムによれば、以下の効果を得ることが可能となる。
（１）表示手段の近傍領域内における携帯型情報記録媒体の有無に応じて、表示面の透明度を調節し、表示手段に表示されている情報を、観察側からスクリーンの表示面を透過して観察させることによって、意外性などの強い印象を観察者に与えることが可能となる。
また、観察者は、空間を隔てて表示手段に表示されている情報を見ることとなり、意匠性などの見栄えを向上し、一層強い印象を観察者に与えることが可能となる。
（２）検出手段による検出結果、及び／又は、スクリーンの表示面の透明度の調整に応じて、また、携帯型情報記録媒体から読み出した情報に基づいて、光の投射を制御し、スクリーンに表示する画像の選択、投射のタイミングなどを調整することによって、様々なパターンで画像を基材に表示することが可能となる。
（３）検出手段による検出結果、及び／又は、スクリーンの表示面の透明度の調整に応じて、表示手段に表示されている情報に照射される光量を調節することによって、空間に情報が浮かび上がらせるなど、表示手段に表示されている情報の観察者の認識度を容易に溶接することができるとともに、利用者に一層強い印象を与えることが可能となる。
（４）検出手段による検出結果、及び／又は、スクリーンの表示面の透明度の調整に応じて、また、携帯型情報記録媒体から読み出した情報に基づいて、表示手段による情報の表示を制御し、表示手段が表示する画像の選択、表示するタイミングなどを調整することによって、様々なパターンで情報を表示することが可能となる。特に、スクリーンへの光の投射の制御とともに、表示手段による情報の表示を制御することによって、スクリーン及び表示手段への表示のタイミングを制御するとともに、関連のある情報をそれぞれ表示し、相乗効果を得、利用者に一層強い印象を与えることが可能となる。
（５）一のスクリーンと、表示手段との間に、空間を隔てて他の前記スクリーンを備えることによって、情報を表示する表示面が多くなり、多種多様なパターンで情報を表示し、相乗効果を得、利用者により一層強い印象を与えることが可能となる。
【発明を実施するための最良の形態】
【００１７】
本発明は、観察者に強い印象を与えるという目的を、表示面における透明度を調節することが可能なスクリーンと、スクリーンに画像を表示するために光を投射する投射部と、スクリーンの観察側の反対側に、スクリーンと空間を隔てて設けられ、スクリーン側に対して情報を表示する表示部と、スクリーンの観察側の近傍領域内に在る携帯型情報記録媒体を検出する検出部と、検出部による検出結果に応じて、スクリーンの表示面の透明度を調整し、投射部によるスクリーンへの光の投射を制御する制御部とを備えるスクリーンシステムによって実現する。
【実施例】
【００１８】
以下、図面などを参照して、本発明の実施例をあげて、さらに詳しく説明する。
図１は、本発明によるスクリーンシステムの構造を示す概略透視図であって、図２は、スクリーンシステムの構成を示すブロック図である。
図１に示すように、スクリーンシステム１は、内部に閉じられた直方体空間のあるケース１ａと、ケース１ａの一側面に、ケース１ａ外部側が観察側、ケース１ａ内部側が投影側となるように設けられているスクリーン１０と、スクリーン１０と対向するケース１ａの内部壁面に、情報を表示する表示部２０と、ケース１ａ内部側からスクリーン１０への投影を行うプロジェクタ３０と、ケース１ａ内部側から表示部２０を光で照らす照明部４０と、スクリーン１０の近傍にリーダ５０などとを備えている。
【００１９】
また、図２に示すように、スクリーンシステム１は、利用者が携帯し、リーダ５０と非接触通信を行うことが可能なＩＣタグ６０と、リーダ５０、スクリーン１０の電源１１、プロジェクタ３０、照明部４０などに接続され、これらの機器を制御するＰＣ７０などとを備えている。
スクリーンシステム１は、スクリーン１０の近傍に在るＩＣタグ６０を検出した場合に、ＰＣ７０がこれらの機器を制御し、スクリーン１０へ画像を投射し、情報を表示するなど、ＩＣタグ６０の検出に応じてＩＣタグ６０を携帯する利用者に対して情報を表示するシステムである。
【００２０】
図２は、スクリーン１０の構造を説明するための概略断面図である。
スクリーン１０は、街角、イベント会場、駅構内、コンビニエンスストア、ショッピングセンタ、ホテルなどの人目に付きやすい場所に設置されている。図２に示すように、スクリーン１０は、平行光線の透過度などの透明度を調節することができる板状の調光ガラスを基材とし、電源１１などを備えている。電源１１は、スクリーン１０へ電力を供給するための電源であって、ＯＮ／ＯＦＦの切り替えスイッチを有し、ＰＣ７０からの制御信号に応じて電力供給のＯＮ／ＯＦＦを切り替える。スクリーン１０は、電源１１がＯＮの場合には、調光ガラスが透明となり、透明な窓のような状態となる。一方、電源１１がＯＦＦの場合には、スクリーン１０は、調光ガラスが不透明な白濁状態となり、プロジェクタ３０からの投影を受けて画像を表示するスクリーンとして機能する。
【００２１】
スクリーン１０は、調光ガラスの構造を有している。スクリーン１０は、液晶などの調光材料からなる液晶層１３の両面を透明導電層１４Ａ，１４Ｂで挟み、透明導電層１４Ａ，１４Ｂの外側を透明なポリマーシート１５Ａ，１５Ｂで挟みこんだ調光フィルム１３，１４Ａ，１４Ｂ，１５Ａ，１５Ｂ（例えば、日本板硝子（株）製ＵＭＵフィルム（「ＵＭＵ」は登録商標））を２枚のガラス板１６Ａ，１６Ｂ間に挟み込んで接着一体化して構成される。スクリーンとして機能する調光ガラス（調光ガラススクリーン）としては、日本板硝子（株）製のウムスマートスクリーン（登録商標）などがある。
【００２２】
透明導電層１４Ａ，１４Ｂは、透明な導電性の層であって、電源１１に接続され、液晶層１３内の液晶に対して電圧をかける電極の役割を果たしている。電源１１に電圧がかけられた場合には、液晶層１３の液晶分子が通電によって並行に並び、平行光線透過率が高くなり、液晶層１３は透明となる。一方、電源１１に電圧がかけられていない場合には、液晶分子が不揃いとなり、平行光線透過率が低くなり、液晶層１３は不透明となる。
表示部２０は、ポスターなどの印刷媒体であって、ケース１ａの内部側（スクリーン１０側）に向けて情報を表示する。どのような情報を表示するかは、限定されず、任意に設定することが可能である。なお、相乗効果を期待できるため、スクリーン１０に表示するコンテンツと関連する情報を表示部２０が表示することが望ましい。
プロジェクタ３０は、制御信号、画像データをＰＣ７０から受信し、ＰＣ７０の制御に従って光をスクリーン１０に投射し、動画コンテンツなどの画像をスクリーン１０に対して拡大投影する投影機である。
【００２３】
照明部４０は、スポットライトなどの照明装置であって、表示部２０の表示をケース１ａの内部側（スクリーン１０側）から光で照らす。照明部４０は、制御信号をＰＣ７０から受信し、ＰＣ７０の制御に従って、照明のＯＮ／ＯＦＦを切り替える。照明部４０がＯＮに切り替えられた場合に、照明によって表示部２０に表示されている情報が浮かび上がり、観測者（利用者）が認識可能となる。
リーダ５０は、スクリーン１０とケース１ａの同一面の外部側に設けられ、電気信号を電磁波に変換して送出、また、電磁波を受信して電気信号に変換するアンテナなどを備えている。リーダ５０は、ＩＣタグ６０と電磁誘導方式による無線通信を行い、ＰＣ７０及びＩＣタグ６０間の通信を媒介する通信インターフェイスである。リーダ５０は、電磁波を送受することによって、通信範囲内（スクリーン１０の近傍範囲内）に在るＩＣタグ６０を検出し、ＩＣタグ６０に記憶されている情報を読み出し、ＰＣ７０へ送信する。
【００２４】
ＩＣタグ６０は、メモリやＣＰＵを有するＩＣチップと、ＩＣチップに接続され、電磁誘導方式による無線通信を行うアンテナなど（図示しない。）を備える情報記録媒体であって、一般にＲＦＩＤ（Ｒａｄｉｏ  Ｆｒｅｑｕｅｎｃｙ  Ｉｄｅｎｔｉｆｉｃａｔｉｏｎ；無線による個体認識）タグとよばれているものである。ＩＣタグ６０は、利用申請した者などの所定の者（ユーザ）に配布され、携帯されている。また、ＩＣタグ６０は、このＩＣタグ６０又はその属性を識別するタグＩＤなどの個別情報を記憶し、リーダ５０からの要請に応じてこの個別情報を送信する。タグＩＤは、個人情報、属性情報などの利用者識別情報と関連づけることによって、ユーザ又はその属性を識別するための情報となる。なお、ＩＣタグ６０の形態は、限定されず、例えば、携帯電話機のストラップに設けられているもの、腕輪型のもの、他のものに貼付できるシール型のものなど、多種多様のものがある。
【００２５】
ＰＣ７０は、演算、制御、メモリ管理などを行うＣＰＵ、メモリ、ハードディスクなどの記憶装置、ディスプレイなどの表示装置、プロジェクタ３０、リーダ５０、スクリーン１０の電源１１、照明部４０などへの制御信号の送信を行うための通信インターフェイスなど（図示しない。）を備えるコンピュータである。ＰＣ７０は、制御アプリケーションなどのプログラムを実行し、リーダ５０を介して応答を要求する信号を繰り返し送出し、その応答の有無、応答の内容に基づいて、リーダ５０の近傍の通信範囲（動作磁界範囲）内にあるＩＣタグ６０を検出する。また、リーダ５０を介してＩＣタグ６０に所定の命令を送信することによって、通信範囲内にあるＩＣタグ６０に記憶されているタグＩＤなどの個別情報を読み出す。
【００２６】
また、ＰＣ７０は、画像データなどの複数種類のコンテンツのデータ、各種コンテンツと、ＩＣタグ６０に記憶されているタグＩＤとを紐付ける管理ファイルなどを記憶している。ＰＣ７０は、ＩＣタグ６０から読み出したタグＩＤに対応するコンテンツのデータをプロジェクタ３０へ送信し、コンテンツをスクリーン１０に表示するなど、プロジェクタ３０を制御する。更に、ＰＣ７０は、電源１１を制御し、スクリーン１０への電力供給のＯＮ／ＯＦＦを制御する。ＰＣ７０は、ＩＣタグ６０の検出の有無、読み出したタグＩＤに基づいて、プロジェクタ３０、リーダ５０、電源１１、照明部４０などの各装置を制御する。ＰＣ７０の処理の詳細については、図４を用いて後述する。
【００２７】
図４は、本発明によるスクリーン及びスクリーンシステムの実施例における動作を示すフローチャートである。以下、ＰＣ７０による処理を中心に説明する。
ステップ１００（以下、「ステップ」を「Ｓ」という。）において、スクリーン１０の電源１１がＯＮに切り替えられ、照明部４０の照明がＯＦＦに切り替えられ、利用者が透明なスクリーン１０を通して、その背景にあるケース１ａ内部の暗い空間を見ることができる状態にある。また、リーダ３０は、アンテナ１１から応答要求信号を繰り返し放出している。
【００２８】
Ｓ１１０において、ＩＣタグ６０を携帯する利用者がスクリーン１０へ近づき、ＩＣタグ６０がアンテナ１１の通信範囲内に入ると、ＰＣ７０は、ＩＣタグ６０からの応答に基づいて、ＩＣタグ６０を検出する。ＰＣ７０は、ＩＣタグ６０に記憶されているタグＩＤを読み出し（Ｓ１２０）、対応するコンテンツのデータを読み出す（Ｓ１３０）。ＰＣ７０は、スクリーン１０の電源１１をＯＦＦに切り替え、スクリーン１０を不透明な状態とする（Ｓ１４０）。ＰＣ７０は、読み出したコンテンツのデータをプロジェクタ３０へ送信してコンテンツをスクリーン１０に表示する（Ｓ１５０）。
【００２９】
ＰＣ７０は、コンテンツ再生中に同一のＩＣタグ６０を検出し続けることができなくなるなど、終了指示があった場合（Ｓ１６０）には、スクリーン１０におけるコンテンツの表示を終了し（Ｓ１８０）、スクリーン１０の電源をＯＮに切り替え、照明部４０の照明をＯＮに切り替える（Ｓ１９０）。なお、スクリーン１０の電源をＯＮに切り替え、処理を終了し、待機状態（Ｓ１００）となってもよい。一方、コンテンツが終了した場合（Ｓ１７０）にも、同様に、電源１１をＯＮに切り替え、照明をＯＮに切り替える（Ｓ１９０）。
利用者は、透明なスクリーン１０を通して、スクリーン１０の背景にあるケース１ａ内部において、照明部４０によって光が照射されている表示部２０に表示されている表示を見ることが可能となる。
【００３０】
ＰＣ７０は、照明をＯＮに切り替えてから一定時間経過するまでに、リーダ５０が同一又は異なるＩＣタグ６０を検出した場合には、照明部４０の照明をＯＦＦに切り替え（Ｓ２００〜Ｓ２２０）、同様の処理を繰り返す（Ｓ１２０からＳ２００まで）。一方、照明をＯＮに切り替えてからＩＣタグ６０を検出せずに一定時間が経過した場合には、照明をＯＦＦに切り替え（Ｓ２３０）、処理を終了する（Ｓ２４０）。ＰＣ７０は、待機状態（Ｓ１００）となり、再びＩＣタグ６０を検出した場合には、同様の処理を繰り返す（Ｓ１１０からＳ２４０まで）。
【００３１】
このように、本実施例によれば、スクリーンシステム１は、スクリーン１０を、その背景にあるケース１ａ内部の暗い空間を利用者が見ることができる透明な状態において、ＩＣタグ６０を携帯する利用者がスクリーン１０に近づいた場合に、スクリーン１０を不透明に切り替え、コンテンツを表示するため、利用者に強い印象を与えることが可能となった。
【００３２】
また、コンテンツ終了後には、スクリーンシステム１は、照明部４０の照明をＯＮとし、表示部２０に表示されている情報を光で照らすため、奥行きのある空間に情報が浮かび上がり、利用者は、スクリーン１０を透過して表示部２０に表示されている情報を認識することができ、利用者に一層強い印象を与えることが可能となった。例えば、街角、イベント会場、駅構内、コンビニエンスストア、ショッピングセンタ、ホテルなどに設置し、広告情報などを表示した場合には、利用者など、スクリーン１０を見る観察者に強い印象を与え、販促効果を向上することが可能となった。更に、プレゼンなどにおいて、発表者のＩＣタグ６０の動きやＩＣタグ６０の種類に応じてスクリーン１０の外観、画像を表示させる位置、表示する画像の内容を変えることができ、観察者に強い印象を与えることが可能となった。
【００３３】
特に、スクリーンシステム１は、スクリーン１０及び表示部２０の表示開始のタイミングを制御するとともに、タグＩＤ１０に対応するコンテンツをスクリーン１０に表示するため、タイミングを調節して関連のある情報をスクリーン１０及び表示部２０それぞれに表示し、相乗効果を得、利用者に一層強い印象を与えることが可能となった。
更にまた、ＩＣタグ６０から読み出したタグＩＤに対応するコンテンツをスクリーン１０に表示することによって、利用者の属性などに応じた種々の情報を利用者に提供するなど、ＩＣタグ６０又はＩＣタグ６０の属性ごとにスクリーン１０に表示するコンテンツを変更することが可能となった。
また、スクリーンシステム１は、スクリーン１０の観察側の最表面を板ガラス１６Ａとするため、意匠性、質感、見栄えを向上することが可能となった。
【００３４】
（変形例）
以上説明した実施例に限定されることなく、種々の変形や変更が可能であって、それらも本発明の均等の範囲内である。例えば、スクリーンシステム１は、スクリーン１０の透明／不透明の切り替え、スクリーン１０へのコンテンツの表示、表示部２０への照明のＯＮ／ＯＦＦの切り替えなどの制御を行うが、これらの制御をどのようなタイミングで行うかは、任意に設定することが可能である。例えば、待機状態の場合にスクリーン１０にコンテンツを表示し、ＩＣタグ６０を検出したときにスクリーン１０を透明な状態に切り替え、表示部２０の表示を照射してもよい。また、待機状態の場合に、表示部２０の表示を観察者に見せて、ＩＣタグ６０を検出したときにスクリーン１０にコンテンツを表示してもよい。
【００３５】
スクリーンシステム１は、スクリーン１０の状態を透明、不透明の二つのパターンの透明度の状態だけでなく、半透明など、より多くの段階で透明度の状態を切り替えてもよい。更に、スクリーンシステム１は、コンテンツを表示するタイミングをＩＣタグ６０から読み出した情報に応じて変えてもよい。ＩＣタグ６０の接近や、ＩＣタグ６０から読み出した情報に応じて、スクリーン１０の透明度をどのように調節するか、また、どのようなコンテンツをどのようなタイミングで表示するかは任意に設定することが可能である。
【００３６】
表示部２０は、ポスターなどの固定された情報ではなく、ディスプレイなどのように可変情報を表示してもよい。また、表示部２０が可変情報を表示する場合には、表示する画像の選択、表示するタイミングをＰＣ７０が制御してもよい。スクリーン１０に表示する情報と併せて様々なパターンで情報を観察者に提供することができ、観察者により強い印象を与えることが可能となる。
また、スクリーンシステム１は、表示部２０及びスクリーン１０間に、スクリーン１０と同様の機能、構成を有する他のスクリーンと、このスクリーンに投影するプロジェクタとを備え、プロジェクタから他のスクリーンへの投影をＰＣ７０が制御してもよい。情報を表示する表示面が３面となり、様々なパターンで、各表示面に情報を表示することが可能となるとともに、より一層強い印象を観察者に与えることが可能となる。
【００３７】
スクリーン１０の近傍に設けられているリーダ５０のアンテナは、スクリーン１０の表面（観察側）又は裏面（プロジェクタ３０側）に設けられていてもよく、スクリーン１０の内部に設けられていてもよい。スクリーン１０の近傍にいる、ＩＣタグ１０を携帯している者を検出できれば、設置場所は限定されない。
スクリーン１０内部にアンテナを設けた場合には、スクリーン１０の表面にアンテナの凹凸が出ないため、違和感を観察者に感じさせず、見栄えを向上することが可能となる。また、透明な板ガラス１６ＡにＩＣタグ６０が近づいた場合に、その板ガラス１６Ａの外観を変えることができ、観察者に一層強い印象を与えることが可能となる。
なお、スクリーン１０内部にアンテナを設ける場合には、調光フィルム１３，１４Ａ，１４Ｂ，１５Ａ，１５Ｂ及び板ガラス１６Ａ間に配置することが望ましい。調光フィルム１３，１４Ａ，１４Ｂ，１５Ａ，１５Ｂを２枚のガラス板１６Ａ，１６Ｂに挟み込んで接着する調光ガラスの製造工程においてアンテナを狭着することによってスクリーン１０を製造することができ、比較的容易にアンテナを設置し、スクリーン１０を製造することが可能となる。
【００３８】
スクリーン１０は、透明な状態のとき、ＩＣタグ６０を翳す場所を示す記号、印を表示していてもよい。リーダ５０のアンテナの通信距離が短い場合などに有効である。
また、リーダ５０及びＩＣタグ６０とは、電磁誘導方式による通信を行うが、静電誘導方式による通信であってもよく、無線でＩＣタグ６０に記憶されている情報を読み出すことができればよい。
【００３９】
スクリーンシステム１は、ＩＣタグ６０から読み取った情報に応じたコンテンツをスクリーン１０に表示するが、このシステムに用いることができる所定のＩＣタグ６０の属性を識別するための識別情報をＩＣタグ６０が記憶し、この識別情報を読み取ることによって、所定のＩＣタグ６０が通信範囲内に持ち込まれたことを検出し、任意のコンテンツをスクリーン１０に表示してもよい。
【００４０】
従って、ＩＣタグ６０は、特定周波数の電磁波を受信した場合に共振する非接触識別タグであってもよい。また、ＩＣタグ６０は、電源を備えているアクティブタイプでも、外部から駆動電力を得るパッシブタイプであってもよい。尚、パッシブタイプのＩＣタグはアクティブタイプよりかなり小さく軽い上に、価格も安く実質的に寿命の制限がないため、ユーザに対して送付し、使用させるのに都合がよい。更に、スクリーンシステム１は、携帯型情報記録媒体としてＩＣタグ６０を備えているが、情報を記録し、リーダが非接触でこの記録されている情報を読み取ることができれば、バーコードを有する記録媒体などの他の携帯型情報記録媒体を備えていてもよい。
【００４１】
スクリーンシステム１は、スクリーン１０、プロジェクタ３０、ＰＣ７０など、それぞれ所定の機能を有する複数の装置を備えているが、これらの装置の機能を備える一体型の表示装置であってもよく、スクリーンシステム１が所定の機能を備えていれば、システムに含まれる装置の形態は限定されない。
【００４２】
スクリーンシステム１は、コンテンツの音声を出力し、ユーザに聞かせるスピーカを備えていてもよい。ＩＣタグ６０から読み取った情報に応じた音声情報をユーザに提供することができ、より強い印象を与えることが可能となる。
【００４３】
スクリーンシステム１は、プロジェクタ３０側と、観察側が異なる背面投射式（リア式）で画像をスクリーン１０に表示しているが、観察側から投射する正面投射式（フロント式）で画像をスクリーン１０に表示してもよく、スクリーン１０への光の投射方向などの投射方法は限定されない。
【００４４】
スクリーン１０は、調光フィルム１３，１４Ａ，１４Ｂ，１５Ａ，１５Ｂを２枚のガラス板１６Ａ，１６Ｂで挟み込んだ調光ガラスを基材としているが、調光フィルム１３，１４Ａ，１４Ｂ，１５Ａ，１５Ｂをプラスチックなどの他の透明な部材に貼付したものを基材としてもよい。
【００４５】
スクリーンシステム１は、ＩＣタグ１０を検出できなくなったことを終了指示として検出し（図４のＳ１６０）、コンテンツの表示を終了するが（Ｓ１８０）、終了指示情報を記憶している他のＩＣタグ６０を検出したことを終了指示として入力してもよく、終了指示の入力方法は、ＩＣタグ６０の検出パターンや、ＩＣタグ６０の属性などに応じて任意に設定することが可能である。また、スクリーンシステム１は、一のコンテンツの再生が終了するまで、ＩＣタグ６０の検出を中断してもよい。
【図面の簡単な説明】
【００４６】
【図１】スクリーンシステムの構造を示す概略透視図である。
【図２】スクリーンシステムの構成を示すブロック図である。
【図３】スクリーン１０の構造を説明するための概略断面図である。
【図４】スクリーンシステムの動作を示すフローチャートである。
【符号の説明】
【００４７】
１  スクリーンシステム
１０  スクリーン
１１  電源
２０  表示部
３０  プロジェクタ
４０  照明部
５０  リーダ
６０  ＩＣタグ
７０  ＰＣ
【図１】
2006243068.tif 000003
【図２】
2006243068.tif 000004
【図３】
2006243068.tif 000005
【図４】
2006243068.tif 000006